(57)【要約】  既存の常温コンテナに保冷機能、保温機能、保湿機能等の特別機能を設けることを容易に可能にする収蔵庫補助装置及び航空用コンテナを提供する。  航空用の常温コンテナの内部に搬入された特別機能を有する収蔵庫を、前記常温コンテナの内部に固定する収蔵庫補助装置であって、収蔵庫の上部に掛け渡されるワイヤ１４と、床面の四隅の近傍に配置されている既存の支持金具２０に固定されるフック体１０、１０及び滑車１２、１２と、ターンバックル１６と、を備え、ワイヤ１４は、一端が片方のフック体１０に引っ掛けられ、ワイヤ１４を収蔵庫の上部に掛け渡されて滑車１２、１２に巻き付けられ、ワイヤ１４の他端ともう片方のフック体１０とがターンバックル１６によって連結され、そして、ターンバックル１６が作業員によって操作されることにより、ワイヤ１４によって収蔵庫が締め付けられ、収蔵庫が常温コンテナ内に固定される。
2017013721.tif 000002
【特許請求の範囲】
【請求項１】
常温コンテナの内部に収納された特別機能を有する収蔵庫を、前記常温コンテナの内部に固定する収蔵庫補助装置であって、
前記収蔵庫の上部に掛け渡されるワイヤと、
前記常温コンテナの床面の両端部から直角に延びる一対の側面における前記床面の四隅近傍の所定部位に、荷物固定用ベルトの端部の金具に係合する当該金具の固定用として設けられた支持金具における、一方の前記側面に設けられた２つの前記支持金具にそれぞれ固定される第１のフック体及び第２のフック体と、
他方の前記側面に設けられた２つの前記支持金具にそれぞれ固定され、前記ワイヤに当接して前記ワイヤが延びる方向を変える第１の方向切替部材及び第２の方向切替部材と、
前記常温コンテナの搬入口側に配置されている前記第２のフック体に連結されるターンバックルと、を備え、
前記ワイヤは、一端部が前記常温コンテナの奥側に配置されている前記第１のフック体に引っ掛けられ、前記第１のフック体から前記収蔵庫の上部に掛け渡され、前記常温コンテナの奥側に配置されている第１の方向切替部材を通り、前記搬入口側に配置されている第２の方向切替部材を通り、前記２の方向切替部材から前記収蔵庫の上部に掛け渡されて、他端部がターンバックルに引っ掛けられることを特徴とする収蔵庫補助装置。
【請求項２】
常温コンテナの内部に収納された特別機能を有する収蔵庫を、前記常温コンテナの内部に固定する収蔵庫補助装置であって、
前記常温コンテナの床面における前記収蔵庫の搬入方向に沿った両端部に配置されるレール体と、
前記床面の両端部から直角に延びる側面における床面近傍の所定部位に、荷物固定用ベルトの端部の金具に係合する金具の固定用として設けられた支持金具に装着され、前記常温コンテナに前記レール体を固定する固定金具と、
前記収蔵庫の下部に固定され、前記収蔵庫の搬入の際に前記レール体の上面に摺接する摺動レールと、
前記常温コンテナの内部に前記収蔵庫が搬入された状態で、前記レール体及び前記摺動レールに係合して前記収蔵庫の移動を規制する係合部材と、
を備えることを特徴とする収蔵庫補助装置。
【請求項３】
前記床面における前記搬入口近傍に段部が形成されており、
前記レール体が前記床面に配置された場合に、前記段部の最上部位と前記レール体における前記収蔵庫に摺接する面とが同じ高さであることを特徴とする請求項２記載の収蔵庫補助装置。
【請求項４】
前記レール体を含むフレーム体が前記床面に配置されることを特徴とする請求項２記載の収蔵庫補助装置。
【請求項５】
前記収蔵庫の下面に当接し、前記収蔵庫の搬入及び搬出時に回転するベアリング部を更に備えることを特徴とする請求項４記載の収蔵庫補助装置。
【請求項６】
請求項１乃至５のいずれか１項記載の収蔵庫補助装置と、当該収蔵庫補助装置を内部に備える常温コンテナと、を備えることを特徴とする航空用コンテナ。
【発明の詳細な説明】
【技術分野】
【０００１】
本発明は、飛行機による貨物の輸送に適用される、収蔵庫補助装置及び航空用コンテナに関する。
【背景技術】
【０００２】
飛行機による貨物の輸送には航空用コンテナが用いられる。貨物は航空用コンテナに収納され、航空用コンテナは航空機の下部に設けられた貨物室に収納される。
航空用コンテナには、通常の貨物を収納する常温コンテナ以外にも、例えば、生鮮食料品輸送用の保冷コンテナや、精密機械輸送用の温湿度調整機能付きのコンテナのような特別機能付きコンテナがある。【０００３】
また、生鮮食料品の空輸においては、生鮮食料品を保冷容器に収納し、この保冷容器を通常使用される常温コンテナに積み込むことも行われている。この種の技術としては、特許文献１に記載された技術がある。特許文献１には、マグロのような大型魚を収容して保冷する略直方体形状の保冷容器において、保冷容器コンテナ収蔵空間に最大限配列しかつ配列毎に最大限だけ段積みした状態で収蔵可能であり、しかも荷下ろしが容易にできるように容器群の幅方向両側に手を挿入する隙間を形成することが可能な保冷容器について開示されている。
【先行技術文献】
【特許文献】
【０００４】
【特許文献１】特開２０１３−２３２５４号公報
【発明の概要】
【発明が解決しようとする課題】
【０００５】
上述したように、保冷機能を備えた容器に荷物を収納して常温コンテナの内部に収蔵することは可能である。そこで、常温コンテナを保冷機能付きコンテナと同等に用いることができるように、保冷機能を備えた収蔵庫を、常温コンテナの内部の収納スペースを最大限に利用可能な形状に構成し、この収蔵庫を常温コンテナの内部に設置することが考えられる。【０００６】
しかし、重量物である収蔵庫が常温コンテナ内で移動しないように、収蔵庫を安定して固定する必要がある。【０００７】
本発明は、上述した問題点を解決し、従来の常温コンテナに特別機能を有する収蔵庫を安定して設置できる収蔵庫補助装置及び航空用コンテナを提供することを目的とする。
【課題を解決するための手段】
【０００８】
上記目的を達成するため、本発明は、次に記載する構成を備えている。
（１）  常温コンテナの内部に収納された特別機能を有する収蔵庫を、前記常温コンテナの内部に固定する収蔵庫補助装置であって、前記収蔵庫の上部に掛け渡されるワイヤと、前記常温コンテナの床面の両端部から直角に延びる一対の側面における前記床面の四隅近傍の所定部位に、荷物固定用ベルトの端部の金具に係合する当該金具の固定用として設けられた支持金具における、一方の前記側面に設けられた２つの前記支持金具にそれぞれ固定される第１のフック体及び第２のフック体と、他方の前記側面に設けられた２つの前記支持金具にそれぞれ固定され、前記ワイヤに当接して前記ワイヤが延びる方向を変える第１の方向切替部材及び第２の方向切替部材と、前記常温コンテナの搬入口側に配置されている前記第２のフック体に連結されるターンバックルと、を備え、前記ワイヤは、一端部が前記常温コンテナの奥側に配置されている前記第１のフック体に引っ掛けられ、前記第１のフック体から前記収蔵庫の上部に掛け渡され、前記常温コンテナの奥側に配置されている第１の方向切替部材を通り、前記搬入口側に配置されている第２の方向切替部材を通り、前記２の方向切替部材から前記収蔵庫の上部に掛け渡されて、他端部がターンバックルに引っ掛けられることを特徴とする収蔵庫補助装置。【０００９】
（２）  常温コンテナの内部に収納された特別機能を有する収蔵庫を、前記常温コンテナの内部に固定する収蔵庫補助装置であって、前記常温コンテナの床面における前記収蔵庫の搬入方向に沿った両端部に配置されるレール体と、前記床面の両端部から直角に延びる側面における床面近傍の所定部位に、荷物固定用ベルトの端部の金具に係合する金具の固定用として設けられた支持金具に装着され、前記常温コンテナに前記レール体を固定する固定金具と、前記収蔵庫の下部に固定され、前記収蔵庫の搬入の際に前記レール体の上面に摺接する摺動レールと、前記常温コンテナの内部に前記収蔵庫が搬入された状態で、前記レール体及び前記摺動レールに係合して前記収蔵庫の移動を規制する係合部材と、を備えることを特徴とする収蔵庫補助装置。【００１０】
（３）  （２）において、前記床面における前記搬入口近傍に段部が形成されており、前記レール体が前記床面に配置された場合に、前記段部の最上部位と前記レール体における前記収蔵庫に摺接する面とが同じ高さであることを特徴とする収蔵庫補助装置。【００１１】
（４）  （２）において、前記レール体を含むフレーム体が前記床面に配置されることを特徴とする収蔵庫補助装置。【００１２】
（５）  （４）において、前記収蔵庫の下面に当接し、前記収蔵庫の搬入及び搬出時に回転するベアリング部を更に備えることを特徴とする収蔵庫補助装置。【００１３】
（６）  （１）乃至（５）のいずれかの収蔵庫補助装置と、当該収蔵庫補助装置を内部に備える常温コンテナと、を備えることを特徴とする航空用コンテナ。【００１４】
（１）〜（６）によれば、既存のコンテナの内部に設置されている、荷物固定用ベルトの端部に連結される支持金具を利用して、コンテナ内に特別機能を有する収蔵庫の固定、搬入、搬出し易くする収蔵庫補助装置を設置することが可能である。このため、既存の常温コンテナに本実施形態の収蔵庫補助装置を設置して、常温コンテナの収納スペースの寸法に近い収蔵庫を常温コンテナに収納することにより、常温コンテナを、特別機能（例えば、保冷機能、保温機能、保湿機能）を有する航空用コンテナとして使用することが可能になる。
【発明の効果】
【００１５】
本発明によれば、既存の常温コンテナに保冷機能、保温機能、保湿機能等の特別機能を設けることを容易に可能にする収蔵庫補助装置及び航空用コンテナを提供することが可能になる。
【図面の簡単な説明】
【００１６】
【図１】本発明の実施形態における航空用コンテナ１の外観を示す斜視図である。
【図２】航空用コンテナ１の開閉扉６を開いた状態を示す斜視図である。
【図３】コンテナ本体２の外観を示す斜視図である。
【図４】支持金具２０の外観を示す斜視図である。
【図５】支持金具２０の配置を示す内部平面図である。
【図６】本発明の第１実施形態における収蔵庫補助装置７の構成を示す説明図である。
【図７】フック体１０及びフック体１０を支持金具２０に固定するための部品を示す説明図である。
【図８】支持金具２０にフック体１０を装着した状態を示す斜視図である。
【図９】フック体１０にターンバックル１６を引っ掛けた状態を示す斜視図である。
【図１０】滑車１２及び滑車１２を支持金具２０に固定するための部品を示す説明図である。
【図１１】支持金具２０に滑車１２を装着した状態を示す斜視図である。
【図１２】収蔵庫１００の構成を示す斜視図である。
【図１３】航空用コンテナ１に収蔵庫１００を収納した状態を示す斜視図である。
【図１４】本発明の第２実施形態における収蔵庫補助装置８を備える航空用コンテナ５０の外観を示す説明図である。
【図１５】本発明の第２実施形態における収蔵庫補助装置８の構成を示す説明図である。
【図１６】固定金具３０の詳細な構成を示す説明図である。
【図１７】支持金具２０に突起部１８ｅを嵌合させた状態を示す斜視図である。
【図１８】摺動レール１２０が装着された収蔵庫１００の構成を示す斜視図である。
【図１９】航空用コンテナ５０に収蔵庫１００を収納する前の状態を示す斜視図である。
【図２０】航空用コンテナ５０に収蔵庫１００を収納した状態を示す斜視図である。
【図２１】本発明の第３実施形態における収蔵庫補助装置９を備える航空用コンテナ５２の外観を示す説明図である。
【図２２】本発明の第３実施形態における収蔵庫補助装置９の外観を示す斜視図である。
【図２３】図２２の平面図である。
【図２４】図２３に示すＡ付近の構成を示す一部断面を含む平面図である。
【図２５】コンテナ本体３の床面に収蔵庫補助装置９を固定した状態を示す斜視図である。
【図２６】航空用コンテナ５２に収蔵庫１００を収納した状態を示す斜視図である。
【発明を実施するための形態】
【００１７】
以下、本発明の実施形態について、図面を参照しながら詳細に説明する。
図１は、本発明の実施形態における航空用コンテナ１の外観を示す斜視図、図２は、航空用コンテナ１の開閉扉６を開いた状態を示す斜視図である。
【００１８】
航空用コンテナ１は、常温コンテナに相当するコンテナ本体２と、本発明の第１実施形態における収蔵庫補助装置７と、を備えている。
【００１９】
［コンテナ本体］
コンテナ本体２は、略直方体形の箱体である。本実施形態におけるコンテナ本体２は、規格がＬＤ３型のものであり、略直方体形状における所定の一辺付近が三角柱形状に欠けた形状をなしている。なお、以下の説明の便宜上、コンテナ本体２における図１中のＡ１方向を上方向、Ａ２方向を下方向、Ｂ１方向を前方向、Ｂ２方向を後方向、Ｃ１方向を左方向、Ｃ２方向を右方向、と称することにする。特に、本実施形態においては、コンテナ本体２の左側の下部が欠けているものとする。また、Ｃ１及びＣ２方向をまとめて左右方向あるいは水平方向と称する場合がある。
【００２０】
コンテナ本体２の前方の側面に開閉扉６が設けられており、開閉扉６を開くことによって搬入口４が開放される。搬入口４は矩形の開口であり、搬入口４の水平幅は、床面の水平幅に等しく、搬入口４の上下幅はコンテナ本体２の収納スペースの上下幅に等しく設定されている。また、コンテナ本体２内の床面における搬入口側端部に段部５が形成されている。段部５は、コンテナ本体２内の床面から数ｃｍ上方に延びている。
【００２１】
図３は、コンテナ本体２の外観を示す斜視図である。コンテナ本体２の内部には、支持金具２０が設置されている。支持金具２０には、各種の金具を固定することが可能である。例えば、支持金具２０に、荷物固定ベルトの取付金具を引っ掛けるための金属リングを備えた金具が固定されることにより、荷物固定ベルトを用いてコンテナ本体２内の荷物が移動しないように固定することができる。
【００２２】
図４は、支持金具２０の外観を示す斜視図、図５は、支持金具２０の配置を示す内部平面図である。支持金具２０は、本体部２０ａと、スリット部２０ｂと、拡幅部２０ｃと、孔部２０ｄと、からなる。
【００２３】
本体部２０ａは、帯板状の金属部材における長尺方向に沿って延びている両端部に９０度の曲げを２箇所に施すことによって、端面形状が略Ｃ字形に形成された筒状の部材である。スリット部２０ｂは、本体部２０ａにおける長尺方向に沿った両端部の間に形成された直線状の隙間である。
【００２４】
拡幅部２０ｃは、スリット部２０ｂの複数箇所（本実施形態によれば６箇所）に形成されているスリット幅が広い部分である。この拡幅部２０ｃは、円弧状に形成されている。ここで、スリット部２０ｂ及び拡幅部２０ｃが形成された本体部２０ａの側面を正面視した場合、本体部２０ａの中心軸とスリット部２０ｂの中心線とは一致し、本体部２０ａの中心軸上に円弧状の拡幅部２０ｃの中心が位置付けられる。
【００２５】
孔部２０ｄは、支持金具２０をコンテナ本体２に固定するために用いるねじ２１を挿入するものである。孔部２０ｄは、本体部２０ａにおける拡幅部２０ｃに対向する部位に３箇所形成されている。
【００２６】
支持金具２０は、図５に示すように、コンテナ本体２における左側面の下部、右側面の下部及び後側面の下部、言い換えれば床面の近傍に、３つずつ並んで固定されている。この時、３つの支持金具２０のスリット部２０ｂは、前後方向に沿って延びるように配置され、ねじ２１によってコンテナ本体２に固定される。このとき、ねじ２１の頭部が孔部２０ｄの内部に入り込むことにより、支持金具２０の内面とねじ２１の頭部の上面が面一になる。
【００２７】
［第１実施形態の収蔵庫補助装置］
図６は、本発明の第１実施形態における収蔵庫補助装置７の構成を示す説明図である。収蔵庫補助装置７は、フック体１０、１０と、滑車１２、１２と、ワイヤ１４と、ターンバックル１６と、を備えている。
【００２８】
収蔵庫補助装置７は、図２に示すコンテナ本体２の内部の床面に載置された収蔵庫１００がコンテナ本体２の床面上で移動しないように、収蔵庫１００をコンテナ本体２に固定するものである。
【００２９】
フック体１０、１０は、コンテナ本体２の左側面における搬入口４側（前側）及び搬入口４に対して奥側（後側）に配置される。滑車１２、１２は、コンテナ本体２の右側面における搬入口４側（前側）及び搬入口４に対して奥側（後側）に配置される。そして、ワイヤ１４が、後側に配置されているフック体１０に引っ掛けられ、このフック体１０から収蔵庫１００の上部に掛け渡され、後側に配置されている滑車１２を通り、更に前側に配置されている滑車１２を通り、この滑車１２から収蔵庫１００の上部に掛け渡されて、他端部が、ターンバックル１６を介して前側に配置されているフック体１０に引っ掛けられる。そして、作業員がターンバックル１６を操作することにより、収蔵庫１００がワイヤ１４によって締め付けられ、コンテナ本体２に固定される。
【００３０】
このように、左側面における搬入口４に対して奥側（後側）に配置されるフック体１０が第１のフック体、左側面における搬入口４側（前側）に配置されるフック体１０が第２のフック体、右側面における搬入口４に対して奥側（後側）に配置される滑車１２が第１の方向切替部材、右側面における搬入口４側（前側）に配置される滑車１２が第２方向切替部材、にそれぞれ相当する。
【００３１】
図７は、フック体１０及びフック体１０を支持金具２０に固定するための部品を示す説明図である。収蔵庫補助装置７は、矩形板１１と、連結金具１８と、を更に備えている。
フック体１０は、金属製であり、リング部１０ａとリング部１０ａの一部からフック状に延在するフック部１０ｂと、からなる。
矩形板１１は、矩形の金属板からなり、中央にリング部１０ａの内径と同じ径の孔部１１ａが形成されている。
連結金具１８は、支持金具２０に挿入自在なスライド板１８ａと、ボルト１８ｂと、ボルト１８ｂに螺合するナット１８ｃとによって構成されている。
【００３２】
スライド板１８ａは、金属板１８ｄと、突起部１８ｅ、１８ｅと、孔部１８ｆと、を備えている。
【００３３】
金属板１８ｄは、矩形板からなり、支持金具２０に挿入された場合に２つの拡幅部２０ｃが対向する大きさを有する。突起部１８ｅ、１８ｅは、金属板１８ｄにおける２つの拡幅部２０ｃが対向する部位に形成され、拡幅部２０ｃに嵌合可能な円環状の突起である。孔部１８ｆは、一対の突起部１８ｅ、１８ｅの間に形成されており、この孔部１８ｆにボルト１８ｂが挿入される。孔部１８ｆは、スリット部２０ｂのスリット幅と同じ直径である。また、孔部１８ｆは、金属板１８ｄが支持金具２０に挿入された場合にスリット部２０ｂに対向する。なお、金属板１８ｄを正面視した場合に、一対の突起部１８ｅ、１８ｅにおける孔部１８ｆに含まれる領域が削除されている。本実施形態においては、一対の突起部１８ｅ、１８ｅが互いに接近している領域の一部が削除されており、突起部１８ｅ、１８ｅの間に、ボルト１８ｂの雄ねじ部１８ｇが通る円柱状の空間が形成される。
【００３４】
ボルト１８ｂは、孔部１８ｆに挿入される雄ねじ部１８ｇと、この雄ねじ部１８ｇの基端部に形成された頭部１８ｈと、からなる。雄ねじ部１８ｇは、スリット部２０ｂのスリット幅より小さい直径の略円柱形状であり、スリット部２０ｂに挿入可能である。頭部１８ｈは、スリット部２０ｂのスリット幅より大きい直径の円板形状である。ボルト１８ｂは、金属板１８ｄにおける突起部１８ｅ、１８ｅが配置された平面の反対面側から孔部１８ｆに挿入され、頭部１８ｈが孔部１８ｆの周縁に当接し、雄ねじ部１８ｇの先端部が突起部１８ｅ、１８ｅの間から突出する。本実施形態においては、雄ねじ部１８ｇが一対の突起部１８ｅ、１８ｅの間を通るため、一対の突起部１８ｅ、１８ｅによってボルト１８ｂが支持され、ボルト１８ｂは傾くことなく、突起部１８ｅ、１８ｅの間から突出した状態で維持される。
【００３５】
なお、フック体１０におけるリング部１０ａの内径及び矩形板１１における孔部１１ａの径は、ボルト１８ｂが挿入可能な大きさに設定されている。また、矩形板１１は、スライド板１８ａの突起部１８ｅ、１８ｅを覆うことが可能な大きさに設定されている。
【００３６】
そして、作業員が、スライド板１８ａを支持金具２０に挿入し、ボルト１８ｂをスリット部２０ｂにおける隣合う２つの拡幅部２０ｃ、２０ｃの中央に位置付け、突起部１８ｅ、１８ｅを２つの拡幅部２０ｃ、２０ｃに対向させて、ボルト１８ｂを引っ張ることにより、図８に示すように、スライド板１８ａの突起部１８ｅ、１８ｅが拡幅部２０ｃ、２０ｃに嵌合する。これにより、支持金具２０に対するスライド板１８ａのスライド移動が規制されるとともに、支持金具２０からボルト１８ｂが突出した状態で維持される。
【００３７】
更に、作業員が、ボルト１８ｂの先端部に、矩形板１１の孔部１１ａを通し、フック体１０のリング部１０ａを通し、ナット１８ｃを締め付けて突起部１８ｅ、１８ｅと矩形板１１とフック体１０とを密着させることにより、図８に示すように、フック体１０が支持金具２０に固定される。
【００３８】
ターンバックル１６は、図９に示すように、一端部がフック形状に形成されており、他端部にねじ山が切られている一対のフック部材１６ａ、１６ａと、フック部材１６ａ、１６ａに螺合する２つのネジ穴を有する環状の本体部材１６ｂと、からなる。一対のフック部材１６ａ、１６ａのねじ山は互いに逆ねじなっている。また、本体部材１６ｂの２つのネジ穴のねじ溝も互いに逆ねじなっている。そして、一対のフック部材１６ａ、１６ａを本体部材１６ｂの２つのネジ穴のねじ溝に螺合させた場合に、フック部材１６ａ、１６ａは同軸上に配置され、本体部材１６ｂの内側で、ねじ山が切られたボルト部分の端部同士が互いに対向する。このような構成により、本体部材１６ｂの回転に応じてフック部材１６ａ、１６ａ同士が離れたり近づいたりする。
【００３９】
ターンバックル１６の一方のフック部材１６ａは、コンテナ本体２における左側面の前側の支持金具２０に固定されたフック体１０に掛けられる。他方のフック部材１６ａは、図６に示すようにワイヤ１４の端部が掛けられる。
【００４０】
図１０は、滑車１２及び滑車１２を支持金具２０に固定するための部品を示す説明図である。
【００４１】
滑車１２は、中央に中心孔１２ａを備えており、外周面にはリング状の溝１２ｂが形成されている。また、滑車１２は、矩形板１１と、連結金具１８と、フランジ体１９とを用いて支持金具２０に固定される。
【００４２】
矩形板１１及び連結金具１８については上述した通りである。
フランジ体１９は、円筒部１９ａと、この円筒部１９ａの片方の端部から中心軸に対して直角方向に延びる鍔部１９ｂと、によって構成されている。円筒部１９ａの内径は、矩形板１１の孔部１１ａと同じであり、ボルト１８ｂを通すことが可能な大きさである。円筒部１９ａの外径は滑車１２の中心孔１２ａの内径よりも若干小さく設定されている。すなわち、円筒部１９ａを滑車１２の中心孔１２ａに通すことが可能である。
【００４３】
そして、上述したフック体１０の支持金具２０への固定と同様に、作業員が、スライド板１８ａを支持金具２０に挿入し、ボルト１８ｂをスリット部２０ｂにおける隣合う２つの拡幅部２０ｃ、２０ｃの中央に位置付け、突起部１８ｅ、１８ｅを２つの拡幅部２０ｃ、２０ｃに対向させて、ボルト１８ｂを引っ張ることにより、図１１に示すように、スライド板１８ａの突起部１８ｅ、１８ｅを拡幅部２０ｃ、２０ｃに嵌合させる。
【００４４】
更に、作業員が、ボルト１８ｂの先端部に矩形板１１の孔部１１ａを通し、更に、滑車１２の中心孔１２ａにフランジ体１９の円筒部１９ａを通してから、ボルト１８ｂに円筒部１９ａを通す。そして、ボルト１８ｂの先端部にナット１８ｃを取り付け、このナット１８ｃを締め付けて突起部１８ｅ、１８ｅと矩形板１１と円筒部１９ａとを密着させる。これにより、図１１に示すように、滑車１２がフランジ体１９の円筒部１９ａを軸として回転可能な状態で支持金具２０に固定される。
【００４５】
［保冷機能を有する収蔵庫］
図１２は、収蔵庫１００の構成を示す斜視図である。収蔵庫１００は、コンテナ本体２内の収納空間より若干小さい直方体形の箱体である。収蔵庫１００は、前面に観音開きの開閉扉１１０を備えており、この開閉扉１１０を開くことにより、収蔵庫１００に対して物品の収納、取り出しが可能になる。
【００４６】
収蔵庫１００の内部の壁面には、図示しないが複数の保冷剤を収納するための収納部が設けられており、この収納部に複数の保冷剤を並べて収納することにより、収蔵庫１００の内部の壁面に保冷剤が敷き詰められる。これにより、収蔵庫１００は、保冷機能を備えるようになる。
【００４７】
［航空用コンテナ］
図１３は、航空用コンテナ１に収蔵庫１００を収納した状態を示す斜視図である。
【００４８】
作業員は、コンテナ本体２に収蔵庫１００を収納する前に、図６〜図１１に示すように、フック体１０、１０及び滑車１２、１２を、対応する支持金具２０に固定する。具体的に、フック体１０、１０は、コンテナ本体２の左側面における搬入口４側（前側）及び搬入口４に対して奥側（後側）の支持金具２０に連結金具１８によってそれぞれ固定される。滑車１２、１２は、コンテナ本体２の右側面における搬入口４側（前側）及び搬入口４に対して奥側（後側）の支持金具２０に連結金具１８によってそれぞれ固定される。つまり、フック体１０、１０及び滑車１２、１２は、左右の側面において、床面の四隅の近傍に配置されている支持金具２０に固定される。
【００４９】
次に、リング状に形成されたワイヤ１４の一端部を、図６に示すように、後方のフック体１０に引っ掛ける。そして、ワイヤ１４を上方に延ばし、例えば、コンテナ本体２の天井の左側から右側に這わせ、コンテナ本体２の右側壁面に沿って降ろして、後方の滑車１２に巻き付ける。そして、ワイヤ１４を前方の滑車１２の直下に延ばして、ワイヤ１４の他端部を外部に引き出しておく。この時、ワイヤ１４は弛んだ状態であってもよい。また、コンテナ本体２の天井に這わせたワイヤ１４は、粘着テープ等で仮止めしておくとよい。
【００５０】
そして、コンテナ本体２に収蔵庫１００を収納した後、作業員は、ワイヤ１４を手前に引っ張って、ワイヤ１４に張力を加える。これにより、ワイヤ１４は、粘着テープから外れて収蔵庫１００の上部の後方側に当接するともに、後方の滑車１２に密着する。更に作業員は、ワイヤ１４を、前方の滑車１２に巻き付けてから上方に延ばし、収蔵庫１００の上部の前方において右側から左側に向かって延ばし、コンテナ本体２の左側壁面に沿って降ろす。そして、リング状に形成されてワイヤ１４の他端部と、前方のフック体１０とを、ターンバックル１６によって連結する。最後に、ターンバックル１６の本体部材１６ｂを回転させて、ワイヤ１４の他端部を下方に降ろすことによって、ワイヤ１４による収蔵庫１００への締め付けを強化する。これにより、収蔵庫１００が、コンテナ本体２内を移動しないように、収蔵庫補助装置７によって固定される。
【００５１】
なお、コンテナ本体２に収納した収蔵庫１００にワイヤ１４を掛ける手順は、上述した手順以外でもよい。また、ワイヤ１４が通る収蔵庫１００の角部に、図１２に示すような、案内板１０２を取り付けて、収蔵庫１００の角部を保護してもよい。図１２において、案内板１０２は、滑面を有する金属板にプレス加工を施すことによって、所定の曲率のＬ字形に形成された部材であり、ワイヤ１４が摺接する滑面部１０２ａと、この滑面部１０２ａの両側部に形成され、ワイヤ１４が案内板１０２から外れることを防止するリブ部１０２ｂ、１０２ｂとを備えている。
【００５２】
このように構成した第１実施形態によれば、作業員が、ターンバックル１６を操作することによって、ワイヤ１４によってコンテナ本体２に収容された収蔵庫１００が移動しないように、強固に固定することが可能になる。また、コンテナ本体２の外部から作業員が、コンテナ本体２と収蔵庫１００との隙間に手を伸ばしてターンバックル１６を操作することができるため、ワイヤ１４の締め付け作業及び緩める作業を容易に行うことが可能になる。
【００５３】
なお、第１実施形態によれば、滑車１２は、ワイヤ１４の移動とともに回転自在であるが、滑車１２を回転させずに、矩形板１１とナット１８ｃとの間に固定してもよい。また、滑車１２の代わりにＬ字形の金具を用いて、ワイヤ１４の方向を直角方向に変えてもよい。
【００５４】
［第２実施形態の収蔵庫補助装置］
ところで、収蔵庫１００は、コンテナ本体２の収納スペースに近い大きさであるため、収蔵庫１００をコンテナ本体２に対して搬入、搬出する作業は容易ではない。例えば、収蔵庫１００が搬入、搬出の際に斜めになってしまった場合には、収蔵庫１００がコンテナ本体２の内部に当接して、収蔵庫１００を押し込むことが困難になるおそれがある。
【００５５】
次に説明する第２実施形態の収蔵庫補助装置８は、このような問題点について鑑みなされたものであり、コンテナ本体２に対する収蔵庫１００の搬入、搬出を補助するものである。なお、第２実施形態の収蔵庫補助装置８において、第１実施形態の収蔵庫補助装置７における部材と同一の部材については同一の符号を付して、詳細な説明は省略する。
【００５６】
収蔵庫補助装置８は、図１４に示すように、コンテナ本体２の内部の床面に固定され、収蔵庫１００を載置するものである。
【００５７】
図１５は、本発明の第２実施形態における収蔵庫補助装置８の構成を示す説明図であり、収蔵庫補助装置８は、複数の固定金具３０と、レール体３４と、係合部材に相当するビス３６と、を備えている。
【００５８】
図１６は固定金具３０の詳細な構成を示す説明図であり、固定金具３０は、レール体３４を支持する支持台３１と、第１実施形態において用いた連結金具１８とからなる。
【００５９】
支持台３１は、四角筒形の金属部材であり、コンテナ本体２の床面の左方及び右方側の端部に配置される。レール体３４は、支持台３１の上面に載置かつ固定される。ここで、レール体３４は、コンテナ本体２の前方から搬入口４を視認した場合に、搬入口４の範囲内に配置される。また、段部５の最上部位とレール体３４ａ、３４ａの表面とが同じ高さになる。
【００６０】
支持台３１において、コンテナ本体２の左側面又は右側面に対向する側面に、ボルト１８ｂの雄ねじ部１８ｇが挿入可能な孔部３１ａが形成されている。また、この側面に対向する側面における孔部３１ａの対向部位に孔部３１ｂが形成されている。この孔部３１ｂは、孔部３１ａよりも大径であり、ナット１８ｃ、及びナット１８ｃを回転させる工具等が挿入可能に形成されている。
【００６１】
そして、作業員が、スライド板１８ａを支持金具２０に挿入し、ボルト１８ｂをスリット部２０ｂにおける隣合う２つの拡幅部２０ｃ、２０ｃの中央に位置付け、突起部１８ｅ、１８ｅを２つの拡幅部２０ｃ、２０ｃに対向させて、ボルト１８ｂを引っ張ることにより、図１７に示すように、スライド板１８ａの突起部１８ｅ、１８ｅが拡幅部２０ｃ、２０ｃに嵌合する。これにより、支持金具２０に対するスライド板１８ａのスライド移動が規制されるとともに、支持金具２０からボルト１８ｂが突出した状態で維持される。
【００６２】
更に、作業員が、ボルト１８ｂの先端部に支持台３１の孔部３１ａを通し、ナット１８ｃを締め付けて突起部１８ｅ、１８ｅと支持台３１とを密着させることにより、支持台３１がコンテナ本体２に固定される。このように支持台３１は、コンテナ本体２の床面に、前後方向に延びる２本の長辺に沿って３個ずつ計６個固定される。
【００６３】
また、図１５に示すように、３本のレール体３４は、断面Ｌ字形の長尺部材である。３本のレール体３４の表面は、摩擦が少ない平滑面である。
【００６４】
３本のレール体３４は、コンテナ本体２の床面における左右の端部に配置される２本のレール体３４ａ、３４ａと、コンテナ本体２の床面における後方側の端部に配置されるレール体３４ｂとからなる。
【００６５】
２本のレール体３４ａ、３４ａは、３個の支持台３１上に平ねじ等によって固定される。なお、平ねじの頭部がレール面から突出しないように、平ねじの挿入用として２本のレール体３４ａ、３４ａに形成されたねじ孔の上部にテーパ状の凹部が形成されている。
【００６６】
レール体３４ｂには、後側面に固定された支持金具２０に対向する部位に、ボルト１８ｂが挿入可能な孔部３４ｃ（図１５参照）が形成されている。レール体３４ｂをコンテナ本体２に取り付ける際には、作業員が、支持金具２０にスライド板１８ａを挿入して、支持金具２０からボルト１８ｂを延出させ、このボルト１８ｂにレール体３４ｂの孔部３４ｃを通してからナット１８ｃで締め付ける。これにより、レール体３４ｂがコンテナ本体２の後側面に固定される。
【００６７】
なお、支持金具２０は、６つの拡幅部２０ｃを有しており、６つの拡幅部２０ｃ中のどの拡幅部２０ｃに突起部１８ｅ、１８ｅを嵌合させるかについては適宜選択可能である。ここで、収蔵庫補助装置８に対して前方に大きな力が加わった場合に、収蔵庫補助装置８が支持金具２０から外れてしまうことを確実に防止するのであれば、支持金具２０において最も後方に位置する２つの拡幅部２０ｃに突起部１８ｅ、１８ｅを嵌合させることが望ましい。つまり、突起部１８ｅ、１８ｅが支持金具２０から外れるまでには、４つの拡幅部２０ｃを乗り越える必要があるため、収蔵庫補助装置８がコンテナ本体２の外部に移動することがなくなる。
【００６８】
このようにコンテナ本体２の内部に設置された３本のレール体３４ａ、３４ａ、３４ｂ上に収蔵庫１００が載置される。
【００６９】
また、コンテナ本体２に収蔵庫補助装置８が固定された場合において、支持金具２０の６つの拡幅部２０ｃの中で連続した２つの拡幅部２０ｃが空いている場合には、その空いた２つの拡幅部２０ｃを利用して、第１実施形態における収蔵庫補助装置７を設置することも可能である。
【００７０】
［保冷機能を有する収蔵庫］
図１８は、収蔵庫１００の構成を示す斜視図である。収蔵庫１００は、コンテナ本体２内の収納空間より若干小さく、３本のレール体３４上に載置可能サイズの直方体形の箱体である。収蔵庫１００は、前面に観音開きの開閉扉１１０を備えており、この開閉扉１１０を開くことにより、収蔵庫１００に対して物品の収納、取り出しが可能になる。
【００７１】
収蔵庫１００の下面における前後方向に延びる２本の長辺部分には、収蔵庫１００の移動の際にレール体３４ａ、３４ａ（図１５参照）の上面に摺接する摺動レール１２０、１２０が固定されている。この摺動レール１２０、１２０の長さは、レール体３４ａ、３４ａ（図１５参照）の長さと略同じであり、収蔵庫１００に固定された摺動レール１２０、１２０の前方側の端部が、収蔵庫１００の下部から突出している。
【００７２】
また、図１４、図１５に示すように、レール体３４ｂの前方側の端部に孔部３４ｄが形成されており、図１５に示すように、摺動レール１２０の前方側の端部に孔部１２０ａが形成されている。そして、収蔵庫１００がコンテナ本体２に収納された状態では、孔部３４ｄと孔部１２０ａとが一致する。この孔部１２０ａにビス３６を挿入することによって、レール体３４ｂと摺動レール１２０とが係合して、収蔵庫１００がコンテナ本体２に固定される。
【００７３】
［航空用コンテナ］
図１９は、航空用コンテナ５０に収蔵庫１００を収納する前の状態を示す斜視図、図２０は、航空用コンテナ５０に収蔵庫１００を収納した状態を示す斜視図である。
【００７４】
航空用コンテナ５０は、図１９に示すように、コンテナ本体２の床面に収蔵庫補助装置８を固定することによって構成される。
【００７５】
コンテナ本体２の床面に収蔵庫補助装置８を固定する際には、まず、作業員が、連結金具１８（図１６参照）を用いてコンテナ本体２に支持台３１を固定してから、支持台３１にレール体３４ａを固定する。なお、レール体３４ａに支持台３１を固定してから、コンテナ本体２に支持台３１を固定してもよい。更に、作業員は、連結金具１８を用いてコンテナ本体２にレール体３４ｂ（図１５参照）を固定する。
【００７６】
収蔵庫１００を航空用コンテナ５０に搬入する際には、まず、作業員が、収蔵庫１００における摺動レール１２０、１２０の後方側の端部を、レール体３４ａ、３４ａの前方側の端部に載せる。そして、収蔵庫１００を後方に押し込むことにより、収蔵庫１００がレール体３４ａ、３４ａに沿って航空用コンテナ５０の内部に移動し、収蔵庫１００の後方側の下部がレール体３４ｂに載った時点で収蔵庫１００は停止する。そして、作業員は、孔部１２０ａにビス３６を挿入することによって、収蔵庫１００をコンテナ本体２に固定する。これにより、図２０に示すように、収蔵庫１００が、航空用コンテナ５０内に収納される。
【００７７】
なお、収蔵庫１００に入れる物品は、航空用コンテナ５０に収蔵庫１００を収納する前に、収蔵庫１００に入れてもよいし、航空用コンテナ５０に収蔵庫１００を収納した後に、収蔵庫１００を収納してもよい。また、コンテナ本体２の床面における３本のレール体３４に囲まれた領域に、パレットを挿入して、３本のレール体３４及び支持台３１にかかる負荷を軽減させてもよい。
【００７８】
［第３実施形態の収蔵庫補助装置］
図２１は、本発明の第３実施形態における収蔵庫補助装置９を備える航空用コンテナ５２の外観を示す説明図である。図２２は、本発明の第２実施形態における収蔵庫補助装置９の外観を示す斜視図である。図２３は、図２２の平面図である。なお、図２１〜図２３に示す第２実施形態の収蔵庫補助装置９において、図１〜図１３に示す第１実施形態の収蔵庫補助装置７における部材、及び図１４〜図２０に示す第２実施形態の収蔵庫補助装置８における部材と同一の部材については同一の符号を付して、詳細な説明は省略する。
【００７９】
図２１に示すように、航空用コンテナ５２は、コンテナ本体３と、収蔵庫補助装置９と、を備えている。コンテナ本体３は、図２、図１９に示すコンテナ本体２から段部５を削除した構成である。収蔵庫補助装置９は、コンテナ本体３の床面に載置された状態で、コンテナ本体３に固定される。
【００８０】
収蔵庫補助装置９は、図２２及び図２３に示すように、フレーム体４０と、２本の補強棒４２、４２と、２枚の支持板４４、４４と、固定金具４６と、係合部材に相当するビス４９と、を備える。
【００８１】
フレーム体４０は、四角筒の棒状部材４０ａ、４０ａ、４０ｂ、４０ｂを矩形に組み合わせたものであり、フレーム体４０における左右方向に延びる棒状部材４０ｂ、４０ｂの長さは、コンテナ本体３の床面の左右方向の長さから２つの支持金具２０の突出分をだけ短い長さであり、前後方向に延びる棒状部材４０ａ、４０ａの長さは、コンテナ本体３の床面の前後方向の長さから１つの支持金具２０の突出分だけ短い長さに設定されている。また、フレーム体４０には、図２２に示すように、孔部４０ｃ、４０ｄが形成されている。
【００８２】
図２４は、図２３に示すＡ付近の構成を示す一部断面を含む平面図である。また、収蔵庫補助装置９が、コンテナ本体３の床面に載置された状態において、棒状部材４０ａにおける支持金具２０に対向する部位には、ボルト１８ｂが遊挿可能な孔部４０ｃが形成されている。また、棒状部材４０ａ、４０ａにおけるフレーム体４０の内側の面において孔部４０ｃ、４０ｃに対向する部位には、孔部４０ｃより大きい孔部４０ｄが形成されている。すなわち、棒状部材４０ａ、４０ａには、それぞれ孔部４０ｃ及び大きい孔部４０ｄが三箇所形成されている。
【００８３】
また、図２２及び図２３に示すように、補強棒４２は、フレーム体４０を構成する棒状部材４０ａ、４０ｂよりも高さが低い四角筒の棒状部材からなる。２本の補強棒４２、４２は、フレーム体４０の内側に、棒状部材４０ｂ、４０ｂと平行になるように前後方向に並べて配置され、両端部が、棒状部材４０ａ、４０ａに固定される。ここで、補強棒４２は、棒状部材４０ａ、４０ａに対して下方寄りに固定されており、棒状部材４０ａ、４０ａの上面と補強棒４２の上面とによって段差が形成される。
【００８４】
２本の支持板４４、４４は、帯状板からなり、フレーム体４０の内側に、棒状部材４０ａ、４０ａと平行になるように左右方向に並べて補強棒４２上に配置され、両端部が、棒状部材４０ｂ、４０ｂに固定される。支持板４４の厚さは、棒状部材４０ａ、４０ａの上面と補強棒４２の上面との段差の高さに設定されている。このため、フレーム体４０の上面と２本の支持板４４、４４の上面とは面一となる。なお、フレーム体４０の上面及び２本の支持板４４、４４の上面は、摩擦が少ない平滑面として形成されている。
【００８５】
また、支持板４４には、前後方向に複数のベアリングが並べられてなるベアリング部４８が固定されている。
【００８６】
固定金具４６は、図２４に示すように、スライド板４７と、第１実施形態において用いたボルト１８ｂ及びナット１８ｃとによって構成されている。
【００８７】
スライド板４７は、金属板４７ａと、突起部４７ｂ、４７ｂと、孔部４７ｃと、を備えている。
【００８８】
金属板４７ａは、棒状部材４０ａと同じ長さでかつ支持金具２０に挿入自在な帯状の矩形板である。金属板４７ａにおける長尺方向の長さ以外の寸法は、図７に示す金属板１８ｄと同一である。突起部４７ｂ、４７ｂ及び孔部４７ｃは、図７に示す突起部１８ｅ、１８ｅ及び孔部１８ｆと同一形状である。
【００８９】
突起部４７ｂ、４７ｂ及び孔部４７ｃは、金属板４７ａに３箇所設けられている。具体的には、金属板４７ａが３つの支持金具２０に挿入された場合に、突起部４７ｂ、４７ｂが各支持金具２０における２つの拡幅部２０ｃ、２０ｃに対向するように、金属板４７ａにおける突起部４７ｂ、４７ｂ及び孔部４７ｃの位置が設定されている。
【００９０】
ボルト１８ｂは、金属板４７ａにおける突起部４７ｂ、４７ｂが配置された平面の反対面側から孔部４７ｃに挿入され、頭部１８ｈが孔部４７ｃの周縁に当接し、雄ねじ部１８ｇが突起部４７ｂ、４７ｂの間から突出する。
【００９１】
そして、棒状部材４０ａにおける３つの孔部４０ｃにそれぞれボルト１８ｂを挿入し、更に、ボルト１８ｂの先端部にナット１８ｃを螺合させることにより、スライド板４７、４７が棒状部材４０ａに取り付けられる。なお、ナット１８ｃは、スライド板４７、４７が左右方向にスライド移動可能になる程度にボルト１８ｂに螺合させる。
【００９２】
フレーム体４０をコンテナ本体３の床面に載置する際には、作業員が、フレーム体４０の先端部をコンテナ本体３の前方の床面に載置し、スライド板４７、４７を支持金具２０に対向させた状態で、フレーム体４０を後方に押し込む。そして、フレーム体４０は、後方の棒状部材４０ｂが、コンテナ本体３の後側面の下部に配置された支持金具２０に当接するまで移動する。これにより、スライド板４７、４７が３つの支持金具２０に挿入された状態で、フレーム体４０が、図２５に示すように、コンテナ本体３の床面に載置される。
【００９３】
この時、左側面の下部及び右側面の下部に３つずつ配置された支持金具２０における２つの拡幅部２０ｃ、２０ｃに、それぞれ突起部４７ｂ、４７ｂが対向しており、ナット１８ｃを締め付けることにより、拡幅部２０ｃ、２０ｃに突起部４７ｂ、４７ｂが嵌合して、収蔵庫補助装置９がコンテナ本体３に装着される。これにより、航空用コンテナ５２が構成される。
【００９４】
収蔵庫１００を航空用コンテナ５２に収納する際には、まず、作業員が、収蔵庫１００における摺動レール１２０、１２０の後方側の端部を、フレーム体４０の前方側の端部に載せてから、収蔵庫１００を後方に押し込む。これにより、収蔵庫１００が棒状部材４０ａ、４０ａ及び支持板４４、４４に摺接しながらコンテナ本体３の内部に移動する。すなわち、棒状部材４０ａ、４０ａは、図１４に示す第２実施形態におけるレール体３４ａ、３４ａと同等の機能を奏する。また、ベアリング部４８は、収蔵庫の下面に当接して収蔵庫の移動方向に沿って回転する。
【００９５】
そして、収蔵庫１００が航空用コンテナ５２の後面に当接した時点で収蔵庫１００は停止する。この状態で、収蔵庫１００は航空用コンテナ５２に収納され、開閉扉６を閉じることが可能になる。なお、図１４に示す第２実施形態と同様に、フレーム体４０の前方側の端部に孔部４０ｅが形成されており、摺動レール１２０の前方側の端部に孔部１２０ａが形成されている。そして、収蔵庫１００が航空用コンテナ５２に収納された状態において、孔部４０ｄと孔部１２０ａとが一致する。作業員が、この孔部１２０ａにビス４９を挿入することによって、摺動レールとフレーム体４０とが係合して、収蔵庫１００がコンテナ本体３に固定され、図２６に示すように、航空用コンテナ５２内に、収蔵庫１００が収納される。
【００９６】
なお、コンテナ本体２に収蔵庫補助装置９が固定された場合において、支持金具２０の６つの拡幅部２０ｃの中で連続した２つの拡幅部２０ｃが空いている場合には、その空いた２つの拡幅部２０ｃを利用して、第１実施形態における収蔵庫補助装置７を合わせて設置することも可能である。
【００９７】
以上、説明したように構成された第１〜第３実施形態によれば、既存の常温コンテナであるコンテナ本体２、３の内部に設けられている支持金具２０を利用して、コンテナ本体２、３の内部に特別機能を有する収蔵庫１００を安定して固定することが可能になる。このため、常温コンテナの収納空間の寸法に近い保冷機能を有する収蔵庫を、常温コンテナに設置することが容易になり、常温コンテナを、保冷機能を有するコンテナとして使用することが可能になる。
【００９８】
また、第２、第３実施形態によれば、６つの拡幅部２０ｃを有する支持金具２０の中の隣合う２つの拡幅部２０ｃに、２つの突起部１８ｅ（４７ｂ）を嵌合させて、収蔵庫補助装置８（９）をコンテナ本体２（３）に固定しているため、収蔵庫補助装置８（９）に対して前方に大きな力が加わったとしても、収蔵庫補助装置８（９）が支持金具２０から外れることを確実に防止することが可能になる。特に、第２実施形態の収蔵庫補助装置８によれば、段部５が形成されているため、仮に、ボルト１８ｂが破損して支持台３１と支持金具２０とが分離したとしても、支持台３１が段部５に当接するため、支持台３１及びレール体３４ａの落下を防止することが可能になる。第２、第３実施形態によれば、収蔵庫１００をコンテナ本体２（３）に固定するためにビス３６（４９）を用いているが、摺動レール１２０がレール体３４又はフレーム体４０に係合させることが可能であれば、他の部材を用いてもよい。
【００９９】
なお、第１〜第３実施形態によれば、収蔵庫１００は、保冷機能を有する収蔵庫であるが、それに限らす保湿機能や保温機能を有する収蔵庫であってもよい。これにより、常温コンテナを、保冷機能以外の別の機能を有するコンテナとして使用することが可能になる。また、本実施形態によれば、コンテナ本体２、３は、規格がＬＤ３型のものであるが、それ以外の規格のコンテナに適用することも可能である。また、本実施形態によれば、６つの拡幅部２０ｃの中の隣合う２つの拡幅部２０ｃに、２つの突起部１８ｅ（４７ｂ）を嵌合させているが、突起部１８ｅ（４７ｂ）の数は３つあるいはそれ以上であってよい。
【符号の説明】
【０１００】
１  航空用コンテナ
２、３  コンテナ本体
４  搬入口
５  段部
６  開閉扉
８、９  収蔵庫補助装置
１０  フック体
１１  矩形板
１２  滑車
１２ａ  中心孔
１２ｂ  溝
１４  ワイヤ
１６  ターンバックル
１８  連結金具
１８ａ  スライド板
１８ｂ  ボルト
１８ｃ  ナット
１８ｄ  金属板
１８ｅ  突起部
１８ｆ  孔部
１８ｇ  雄ねじ部
１８ｈ  頭部
１９  フランジ体
２０  支持金具
２０ａ  本体部
２０ｂ  スリット部
２０ｃ  拡幅部
２１  ねじ
３０  固定金具
３１  支持台
３１ａ、３１ｂ  孔部
３４、３４ａ、３４ｂ  レール体
３４ｃ、３４ｄ  孔部
３６、４９  ビス
４０  フレーム体
４０ａ、４０ｂ  棒状部材
４０ｃ、４０ｄ、４０ｅ  孔部
４２  補強棒
４４  支持板
４６  固定金具
４７  スライド板
４８  ベアリング部
５２  航空用コンテナ
１００  収蔵庫
１１０  開閉扉
１２０  摺動レール
１２０ａ  孔部
【図１】
2017013721.tif 000003
【図２】
2017013721.tif 000004
【図３】
2017013721.tif 000005
【図４】
2017013721.tif 000006
【図５】
2017013721.tif 000007
【図６】
2017013721.tif 000008
【図７】
2017013721.tif 000009
【図８】
2017013721.tif 000010
【図９】
2017013721.tif 000011
【図１０】
2017013721.tif 000012
【図１１】
2017013721.tif 000013
【図１２】
2017013721.tif 000014
【図１３】
2017013721.tif 000015
【図１４】
2017013721.tif 000016
【図１５】
2017013721.tif 000017
【図１６】
2017013721.tif 000018
【図１７】
2017013721.tif 000019
【図１８】
2017013721.tif 000020
【図１９】
2017013721.tif 000021
【図２０】
2017013721.tif 000022
【図２１】
2017013721.tif 000023
【図２２】
2017013721.tif 000024
【図２３】
2017013721.tif 000025
【図２４】
2017013721.tif 000026
【図２５】
2017013721.tif 000027
【図２６】
2017013721.tif 000028
【国際調査報告】
2017013721.tif 000029
2017013721.tif 000030
2017013721.tif 000031
2017013721.tif 000032